(57)【要約】【課題】製造コストの低減を図ることができる故障検出回路およびこれを備えた警報器を提供すること。【解決手段】複数のＬＥＤ１ａ〜１ｃと、複数のＬＥＤ１ａ〜１ｃの各々に接続され、電源Ｖｃｃから各ＬＥＤに電流が流れるように制御する複数のスイッチング素子３ａ〜３ｃと、複数のスイッチング素子３ａ〜３ｃをオン制御する制御信号を出力し、ＬＥＤ１ａ〜１ｃを流れる電流が正常値範囲にない場合にＬＥＤの故障を検出するマイコン２とを有するＬＥＤの故障検出回路であって、電源Ｖｃｃと複数のスイッチング素子３ａ〜３ｃの間に１個の検出抵抗４を接続すると共に、検出抵抗４による検出出力が入力される１個の入力ポートＰ４をマイコン２に設け、マイコン２は、入力ポートＰ４に入力される検出出力に基づいてＬＥＤの故障を検出する。【選択図】図２
2007163338.tif 000002
【特許請求の範囲】
【請求項１】
複数のＬＥＤと、前記複数のＬＥＤの各々に接続され、電源から各ＬＥＤに電流が流れるように制御する複数のスイッチング素子と、前記複数のスイッチング素子をオン制御する制御信号を出力し、前記ＬＥＤを流れる電流が正常値範囲にない場合にＬＥＤの故障を検出するマイコンとを有するＬＥＤの故障検出回路であって、
前記電源と前記複数のスイッチング素子の間に１個の検出抵抗を接続すると共に、前記検出抵抗による検出出力が入力される１個の入力ポートを前記マイコンに設け、前記マイコンは、前記入力ポートに入力される前記検出出力に基づいて前記ＬＥＤの故障を検出することを特徴とするＬＥＤの故障検出回路。
【請求項２】
請求項１記載のＬＥＤの故障検出回路において、
前記マイコンは、前記検出出力の正常値範囲を予め記憶する記憶手段を備え、前記検出出力が前記正常値範囲を逸脱している場合にＬＥＤの故障と判定することを特徴とするＬＥＤの故障検出回路。
【請求項３】
請求項２記載のＬＥＤの故障検出回路において、
前記マイコンは、前記複数のスイッチング素子を時間的に重ならないようにオン制御する制御信号を出力することを特徴とするＬＥＤの故障検出回路。
【請求項４】
請求項２記載のＬＥＤの故障検出回路において、
前記記憶手段は、２つ以上のＬＥＤの組み合わせの正常状態における前記検出出力の正常値範囲を予め記憶しており、
前記マイコンは、前記複数のスイッチング素子のうち２つ以上のスイッチング素子を時間的に重なるようにオン制御する制御信号を出力し、前記検出出力が前記時間的に重なるようにオン制御された前記スイッチング素子の数に相当する、２つ以上のＬＥＤの組み合わせの正常状態における前記検出出力の正常値範囲を逸脱している場合にＬＥＤの故障と判定することを特徴とするＬＥＤの故障検出回路。
【請求項５】
請求項１から４のいずれか１項に記載のＬＥＤの故障検出回路を備えていることを特徴とする警報器。
【請求項６】
請求項５記載の警報器において、
前記複数のＬＥＤは、電源オン後常時点灯しているＬＥＤを含み、
前記マイコンは、前記常時点灯しているＬＥＤ以外のＬＥＤの故障を検出した場合、前記常時点灯しているＬＥＤを点滅するように制御することにより当該ＬＥＤの故障を警報することを特徴とする警報器。
【請求項７】
請求項５記載の警報器において、
前記複数のＬＥＤは、電源オン後常時点灯している通電表示用ＬＥＤと、警報用ＬＥＤとを含み、
前記マイコンは、前記通電表示用ＬＥＤの故障を検出した場合、前記警報用ＬＥＤを通常の警報動作と異なる形態で点灯するように制御することにより当該ＬＥＤの故障を警報することを特徴とする警報器。
【発明の詳細な説明】
【技術分野】
【０００１】
本発明は、ＬＥＤ（発光ダイオード）の故障検出回路およびこれを備えた警報器に関する。
【背景技術】
【０００２】
従来、ＬＥＤの点灯やブザー、スピーカーの発音、発声、外部出力機能等により火災やガス漏れを警報する火災・ガス警報器において、ＬＥＤの故障検出回路を備えているものがある。
【０００３】
図１０は、従来のＬＥＤの故障検出回路を示す回路図である。図１０において、故障検出回路は、電流が流れると報知動作を行うＬＥＤ１ａ〜１ｃと、ＬＥＤ１ａ〜１ｃに電流を流す制御を行うＣＰＵ２およびトランジスタ３ａ〜３ｃと、ＬＥＤ１ａ〜１ｃに正規の電流が流れているかどうかを検出する検出抵抗４ａ〜４ｃを備えている。トランジスタ３ａ〜３ｃとＬＥＤ１ａ〜１ｃの間には、それぞれ、抵抗５ａ〜５ｃが接続されている。ＣＰＵ２は、トランジスタ３ａ〜３ｃへ制御信号を出力する出力ポートＰ１〜Ｐ３と、検出抵抗４ａ〜４ｃの検出出力が入力される入力ポートＰ４〜Ｐ６を備えている。ＣＰＵ２は、入力ポートＰ４〜Ｐ６に入力される検出出力により、ＬＥＤ１ａ〜１ｃに正規の電流が流れているかどうかを判断し、その判断によりＬＥＤ１ａ〜１ｃの故障を検出する（たとえば、特開２００４−１２７１８４号公報参照）。
【特許文献１】特開２００４−１２７１８４号公報
【発明の開示】
【発明が解決しようとする課題】
【０００４】
しかしながら、上述の従来技術では、ＬＥＤの個数に対応した数の検出抵抗と入力ポートが必要であり、製造コストが高くなるという問題があった。
【０００５】
そこで本発明は、上述した課題に鑑み、製造コストの低減を図ることができる故障検出回路およびこれを備えた警報器を提供することを目的としている。
【課題を解決するための手段】
【０００６】
請求項１記載の発明のＬＥＤの故障検出回路は、複数のＬＥＤと、前記複数のＬＥＤの各々に接続され、電源から各ＬＥＤに電流が流れるように制御する複数のスイッチング素子と、前記複数のスイッチング素子をオン制御する制御信号を出力し、前記ＬＥＤを流れる電流が正常値範囲にない場合にＬＥＤの故障を検出するマイコンとを有するＬＥＤの故障検出回路であって、前記電源と前記複数のスイッチング素子の間に１個の検出抵抗を接続すると共に、前記検出抵抗による検出出力が入力される１個の入力ポートを前記マイコンに設け、前記マイコンは、前記入力ポートに入力される前記検出出力に基づいて前記ＬＥＤの故障を検出することを特徴とする。
【０００７】
請求項２記載の発明は、請求項１記載のＬＥＤの故障検出回路において、前記マイコンは、前記検出出力の正常値範囲を予め記憶する記憶手段を備え、前記検出出力が前記正常値範囲を逸脱している場合にＬＥＤの故障と判定することを特徴とする。
【０００８】
請求項３記載の発明は、請求項２記載のＬＥＤの故障検出回路において、前記マイコンは、前記複数のスイッチング素子を時間的に重ならないようにオン制御する制御信号を出力することを特徴とする。
【０００９】
請求項４記載の発明は、請求項２記載のＬＥＤの故障検出回路において、前記記憶手段は、２つ以上のＬＥＤの組み合わせの正常状態における前記検出出力の正常値範囲を予め記憶しており、前記マイコンは、前記複数のスイッチング素子のうち２つ以上のスイッチング素子を時間的に重なるようにオン制御する制御信号を出力し、前記検出出力が前記時間的に重なるようにオン制御された前記スイッチング素子の数に相当する、２つ以上のＬＥＤの組み合わせの正常状態における前記検出出力の正常値範囲を逸脱している場合にＬＥＤの故障と判定することを特徴とする。
【００１０】
請求項５記載の発明の警報器は、請求項１から４のいずれか１項に記載のＬＥＤの故障検出回路を備えていることを特徴とする。
【００１１】
請求項６記載の発明は、請求項５記載の警報器において、前記複数のＬＥＤは、電源オン後常時点灯しているＬＥＤを含み、前記マイコンは、前記常時点灯しているＬＥＤ以外のＬＥＤの故障を検出した場合、前記常時点灯しているＬＥＤを点滅するように制御することにより当該ＬＥＤの故障を警報することを特徴とする。
【００１２】
請求項７記載の発明は、請求項５記載の警報器において、前記複数のＬＥＤは、電源オン後常時点灯している通電表示用ＬＥＤと、警報用ＬＥＤとを含み、前記マイコンは、前記通電表示用ＬＥＤの故障を検出した場合、前記警報用ＬＥＤを通常の警報動作と異なる形態で点灯するように制御することにより当該ＬＥＤの故障を警報することを特徴とする。
【発明の効果】
【００１３】
請求項１記載の発明によれば、複数のＬＥＤと、複数のＬＥＤの各々に接続され、電源から各ＬＥＤに電流が流れるように制御する複数のスイッチング素子と、複数のスイッチング素子をオン制御する制御信号を出力し、ＬＥＤを流れる電流が正常値範囲にない場合にＬＥＤの故障を検出するマイコンとを有するＬＥＤの故障検出回路において、電源と前複数のスイッチング素子の間に１個の検出抵抗を接続する。また、マイコンに、検出抵抗による検出出力が入力される１個の入力ポートを設ける。マイコンは、入力ポートに入力される検出出力に基づいてＬＥＤの故障を検出する。それにより、故障検出用に１個の検出抵抗と１個のＡ／Ｄ入力ポートを備えるだけで複数のＬＥＤの故障を検出して警報することができ、従来に比して製造コストを低減することができる。
【００１４】
請求項２記載の発明によれば、マイコンは、検出出力の正常値範囲を予め記憶する記憶手段を備え、検出出力が正常値範囲を逸脱している場合にＬＥＤの故障と判定する。それにより、ＬＥＤの故障を的確に検出することができる。
【００１５】
請求項３記載の発明によれば、マイコンは、前記複数のスイッチング素子を時間的に重ならないようにオン制御する制御信号を出力する。それにより、ＬＥＤの故障を１つずつ判定することができる。
【００１６】
請求項４記載の発明によれば、記憶手段は、２つ以上のＬＥＤの組み合わせの正常状態における検出出力の正常値範囲を予め記憶している。マイコンは、複数のスイッチング素子のうち２つ以上のスイッチング素子を時間的に重なるようにオン制御する制御信号を出力する。そして、マイコンは、検出出力が時間的に重なるようにオン制御されたスイッチング素子の数に相当する、２つ以上のＬＥＤの組み合わせの正常状態における検出出力の正常値範囲を逸脱している場合にＬＥＤの故障と判定する。それにより、点灯中のＬＥＤがあっても、他のＬＥＤの故障の有無を判定することができる。
【００１７】
請求項５記載の発明によれば、請求項１から４のいずれか１項に記載のＬＥＤの故障検出回路を備えているので、使用されている警報用のＬＥＤなどの故障を検出することができる。
【００１８】
請求項６記載の発明によれば、複数のＬＥＤは、電源オン後常時点灯しているＬＥＤを含む。マイコンは、常時点灯しているＬＥＤ以外のＬＥＤの故障を検出した場合、常時点灯しているＬＥＤを点滅するように制御することにより当該ＬＥＤの故障を警報する。それにより、故障警報用の表示手段をさらに備えることなく、ＬＥＤの故障を警報することができる。
【００１９】
請求項７記載の発明によれば、複数のＬＥＤは、電源オン後常時点灯している通電表示用ＬＥＤと、警報用ＬＥＤとを含む。マイコンは、通電表示用ＬＥＤの故障を検出した場合、警報用ＬＥＤを通常の警報動作と異なる形態で点灯するように制御することにより当該ＬＥＤの故障を警報する。それにより、故障警報用の表示手段をさらに備えることなく、ＬＥＤの故障を警報することができる。
【発明を実施するための最良の形態】
【００２０】
以下、本発明の実施の形態について図面を参照して説明する。
【００２１】
（第１の実施形態）図１は、本発明の第１の実施形態に係る故障検出回路を内蔵した火災・ガス警報器の構成を示すブロック図である。図１において、火災・ガス警報器１０は、マイコン（以下、ＣＰＵという）２、メタン検出回路１１、ＣＯ検出回路１２、火災検出回路１３、警報表示回路１４、本発明の故障検出回路１５、警報音声／ブザー出力回路１６および外部出力回路１７から構成される。メタン検出回路１１は、メタンガスを検出するガスセンサを含む。ＣＯ検出回路１２は、ＣＯを検出するガスセンサを含む。火災検出回路１３は、火災を検出する火災センサを含む。警報表示回路１４は、火災発生を警報するために赤色発光するＬＥＤと、ＣＯ検出を警報するために黄色発光するＬＥＤと、メタン検出を警報するために赤色発光するＬＥＤと、火災・ガス警報器１０への通電表示を行うために緑色発光するＬＥＤとを含む。警報音声／ブザー出力回路１６は、請求項における警報音出力手段に相当する。
【００２２】
ＣＰＵ２は、電源オンに応じて警報表示回路１４のＬＥＤ（緑）を常時点灯させて、警報器が通電状態にあることを表示する。また、ＣＰＵ２は、メタン検出回路１１からのメタン検出信号により警報表示回路１４のＬＥＤ（赤）を発光させると共に、警報音声・ブザー出力回路１６から発声、発音、および外部出力回路１７からの出力信号等でメタン検出の警報を発する。また、ＣＰＵ２は、ＣＯ検出回路１２からのＣＯ検出信号により警報表示回路１４のＬＥＤ（黄）を発光させると共に、警報音声・ブザー出力回路１６から発声、発音、および外部出力回路１７からの出力信号等でＣＯ検出の警報を発する。また、ＣＰＵ２は、火災検出回路１３からの火災検出信号により警報表示回路１４のＬＥＤ（赤）を発光させると共に、警報音声・ブザー出力回路１６から発声、発音、および外部出力回路１７からの出力信号等で火災発生の警報を発する。
【００２３】
さらに、ＣＰＵ２は、警報表示回路１４に含まれるＬＥＤの故障が故障検出回路１５で検出された際、その故障検出信号によりＬＥＤの故障を判定する。ＬＥＤの故障と判定した場合は、ＣＰＵ２は、警報表示回路１４に含まれるＬＥＤのうち故障と判定されたＬＥＤ以外のＬＥＤを利用してＬＥＤ故障の警報表示を行う。また、ＣＰＵ２は、警報音声・ブザー出力回路１６および外部出力回路１７からＬＥＤ故障の警報を発する。
【００２４】
次に、本発明のＬＥＤの故障検出回路１５の詳細について、図２を参照して説明する。
【００２５】
図２は、図１の火災・ガス警報器１０における警報表示回路１４兼故障検出回路１５の構成例を示す回路図である。図２において、警報表示回路１４兼故障検出回路１５は、電流が流れると発光して警報動作を行うＬＥＤ１ａ〜１ｃと、ＬＥＤ１ａ〜１ｃに電流を流す制御を行うＣＰＵ２およびトランジスタ３ａ〜３ｃと、ＬＥＤ１ａ〜１ｃに正規の電流が流れているかどうかを検出する検出抵抗４を備えている。トランジスタ３ａ〜３ｃは、請求項におけるスイッチング素子に相当する。
【００２６】
ＣＰＵ２は、トランジスタ３ａ〜３ｃへ制御信号を出力する出力ポートＰ１〜Ｐ３と、検出抵抗４の検出出力が入力されるＡ／Ｄ入力ポートＰ４を備えている。トランジスタ３ａ〜３ｃはｐｎｐ型トランジスタであり、各エミッタは検出抵抗４を介して電源Ｖｃｃ（たとえば、５Ｖ）に接続され、各コレクタはそれぞれ抵抗５ａ〜５ｃの一端に接続され、各ベースは、それぞれ、抵抗６ａ〜６ｃを介してＣＰＵ２の出力ポートＰ１〜Ｐ３に接続されている。抵抗５ａ〜５ｃの他端は、それぞれ、ＬＥＤ１ａ〜１ｃを介して接地されている。検出抵抗４とトランジスタ３ａ〜３ｃの各エミッタとの接続点は、ＣＰＵ２の入力ポートＰ４に接続されている。
【００２７】
（通常の警報動作）上述の構成において、通常の警報動作について説明する。ここでは、たとえば、ＬＥＤ１ａは、メタン検出を警報するために赤色発光するＬＥＤであり、ＬＥＤ１ｂは、ＣＯ検出を警報するために黄色発光するＬＥＤであり、ＬＥＤ１ｃは、火災発生を警報するために赤色発光するＬＥＤであるものとして説明する。
【００２８】
通常状態では、ＣＰＵ２は、出力ポートＰ１〜Ｐ３からハイ（Ｈｉ）レベルの制御信号を出力しており、それによりトランジスタ３ａ〜３ｃはオフになっており、ＬＥＤ１ａ〜１ｃに電流が流れず、ＬＥＤ１ａ〜１ｃは消灯している。
【００２９】
一方、メタン検出回路１１からメタン検出信号がＣＰＵ２に入力されると、ＣＰＵ２は、出力ポートＰ１からロー（Ｌｏ）レベルの制御信号を出力し、トランジスタ３ａをオンさせる、それにより、電源Ｖｃｃより検出抵抗４、トランジスタ３ａおよび抵抗５ａを介してＬＥＤ１ａに電流が流れ、ＬＥＤ１ａが赤色に発光し、メタン検出を警報する。
【００３０】
また、ＣＯ検出回路１２からＣＯ検出信号がＣＰＵ２に入力されると、ＣＰＵ２は、出力ポートＰ２からロー（Ｌｏ）レベルの制御信号を出力し、トランジスタ３ｂをオンさせる、それにより、電源Ｖｃｃより検出抵抗４、トランジスタ３ｂおよび抵抗５ｂを介してＬＥＤ１ｂに電流が流れ、ＬＥＤ１ｂが黄色に発光し、ＣＯ検出を警報する。
【００３１】
また、火災検出回路１３から火災検出信号がＣＰＵ２に入力されると、ＣＰＵ２は、出力ポートＰ３からロー（Ｌｏ）レベルの制御信号を出力し、トランジスタ３ｃをオンさせる、それにより、電源Ｖｃｃより検出抵抗４、トランジスタ３ｃおよび抵抗５ｃを介してＬＥＤ１ｃに電流が流れ、ＬＥＤ１ｃが赤色に発光し、火災発生を警報する。
【００３２】
（ＬＥＤ故障検出動作）次に、ＬＥＤの故障検出動作について説明する。故障検出動作時には、ＣＰＵ２は、故障検出用のロー（Ｌｏ）レベルの制御信号を順次出力ポートＰ１〜Ｐ３から出力し、ＬＥＤ１ａ〜１ｃに流れる電流に対して検出抵抗４の下端電圧を検出出力としてＣＰＵ２のＡ／Ｄ入力ポートＰ４に取り込み、計測する。
【００３３】
すなわち、ＣＰＵ２は、図４に示すように、出力ポートＰ１〜Ｐ３から時間的に重ならないように故障検出用のロー（Ｌｏ）レベルの制御信号を順次出力し、複数のＬＥＤに対して、各ＬＥＤを時分割的にスキャンし、複数のＬＥＤ電流を検出する。すなわち、時間ｔ１において、出力ポートＰ１から故障検出用のロー（Ｌｏ）レベルの制御信号を出力し、トランジスタ３ａをオンにする。トランジスタ３ａがオンになっている間に、時間ｔ２において検出抵抗４による検出電圧をＡ／Ｄ入力ポートＰ４から取り込む。同様に、時間ｔ３において、出力ポートＰ２から故障検出用のロー（Ｌｏ）レベルの制御信号を出力し、トランジスタ３ｂをオンにする。トランジスタ３ｂがオンになっている間に、時間ｔ４において検出抵抗４による検出電圧をＡ／Ｄ入力ポートＰ４から取り込む。同様に、時間ｔ５において、出力ポートＰ３から故障検出用のロー（Ｌｏ）レベルの制御信号を出力し、トランジスタ３ｃをオンにする。トランジスタ３ｃがオンになっている間に、時間ｔ６において検出抵抗４による検出電圧をＡ／Ｄ入力ポートＰ４から取り込む。
【００３４】
図５に示すように、正常時（すなわち、故障していない時）のＬＥＤ電流（たとえば、５ｍＡ）に対して部品公差等を考慮して、ＬＥＤ１個を流れる電流の正常値範囲、換言すれば検出出力（検出電圧）のＬＥＤ１個点灯時の正常値範囲を設定し、ＣＰＵ２の内部メモリ（または、図示しないがＥＥＰＲＯＭ等の外部メモリ）に予め記憶しておく。そして、ＣＰＵ２は、上述のように順次読み込まれた検出電圧（デジタル値）を予め記憶しておいた正常値範囲と比較して正常値範囲内にあるか否かを判定し、正常値範囲から逸脱した状態、たとえば、ＬＥＤがショート（検出電圧ほぼ０Ｖ）またはオープン（検出電圧５Ｖ）した状態を故障として検出する。また、完全にショートまたはオープン状態に至らなくても、正常値範囲を逸脱した場合は故障と判定する。
【００３５】
このとき、ＬＥＤをオンする時間幅は、故障検出以外のＬＥＤ動作（警報状態等）と区別可能な時間幅に設定される。また、警報中（ＬＥＤ点灯状態）の場合であっても、故障の検出を行っても良い。
【００３６】
ＬＥＤの故障が確認された場合、故障警報動作を行う。すなわち、ＣＰＵ２は、ＬＥＤ１ａ〜１ｃのうちいずれかの警報用ＬＥＤの故障が確認された場合は、常時点灯している通電表示用ＬＥＤを点滅動作させるように制御することにより、当該ＬＥＤの故障を警報する。また、ＣＰＵ２は、警報音声・ブザー出力回路１６からの発声、発音による警報音または外部出力回路１７からの外部出力によりＬＥＤ故障の警報を発する。
【００３７】
（第１の実施形態におけるＬＥＤ故障検出動作の詳細）次に、上述のＬＥＤの故障検出動作の詳細について、図３のフローチャートを参照して説明する。
【００３８】
まず、所定の計測タイミングでＬＥＤ故障検出が開始され（ステップＳ１）、次に、ＣＰＵ２は、図４の時間ｔ１で故障検出用のロー（Ｌｏ）レベルの制御信号を出力ポートＰ１から出力し（出力ポートＰ１オン）（ステップＳ２）、トランジスタ３ａをオンにし、トランジスタ３ａがオンになっている間に、時間ｔ２において、ＬＥＤ１ａに流れる電流に基づく検出電圧をＣＰＵ２のＡ／Ｄ入力ポートＰ４に取り込み計測する（ステップＳ３）。すなわち、ＬＥＤ１ａに流れる電流に対して検出抵抗４の下端電圧を検出出力としてＣＰＵ２のＡ／Ｄ入力ポートＰ４に取り込む。この下端電圧は、電源Ｖｃｃから検出抵抗４に流れる電流による電圧降下分を電源電圧から引いた検出電圧値となる。ＣＰＵ２は、Ａ／Ｄ入力ポートＰ４から取り込んだ検出電圧値をＡ／Ｄ変換し、デジタル値として読み込む。
【００３９】
次に、ＣＰＵ２は、読み込まれたＬＥＤ１ａの検出電圧（デジタル値）を予め記憶しておいたＬＥＤ１ａの正常値範囲（Ａ）と比較して正常値範囲（Ａ）内にあるか否かを判定する（ステップＳ４）。ＬＥＤ１ａの検出電圧（デジタル値）が正常値範囲（Ａ）から逸脱していると判定された場合は（ステップＳ４のＮｏ）、正常に動作しているＬＥＤによる故障警報表示処理を行う（ステップＳ５）。すなわち、ＣＰＵ２は、常時点灯している通電表示用ＬＥＤを点滅動作させるように制御することにより、ＬＥＤ１ａの故障を警報する。
【００４０】
次に、ＣＰＵ２は、警報音声・ブザー出力回路１６による故障警報音出力処理を行う（ステップＳ６）。すなわち、警報音声・ブザー出力回路１６の発声または発音による警報音を発する。次に、ＣＰＵ２は、外部出力回路１７による故障警報出力処理を行う（ステップＳ７）。すなわち、外部出力回路１７からの出力信号によりＬＥＤ故障の警報を発する。
【００４１】
ステップＳ４で、ＬＥＤ１ａの検出電圧（デジタル値）が正常値範囲（Ａ）内にあると判定された場合は（ステップＳ４のＹｅｓ）、次に、ＣＰＵ２は、図４の時間ｔ３で故障検出用のロー（Ｌｏ）レベルの制御信号を出力ポートＰ２から出力し（出力ポートＰ２オン）（ステップＳ８）、トランジスタ３ｂをオンにし、トランジスタ３ｂがオンになっている間に、時間ｔ４において、ＬＥＤ１ｂに流れる電流に基づく検出電圧をＣＰＵ２のＡ／Ｄ入力ポートＰ４に取り込み計測する（ステップＳ９）。すなわち、ＬＥＤ１ｂに流れる電流に対して検出抵抗４の下端電圧を、検出出力としてＣＰＵ２のＡ／Ｄ入力ポートＰ４に取り込む。
【００４２】
次に、ＣＰＵ２は、読み込まれたＬＥＤ１ｂの検出電圧（デジタル値）を予め記憶しておいたＬＥＤ１ｂの正常値範囲（Ａ）と比較して正常値範囲（Ａ）内にあるか否かを判定する（ステップＳ１０）。ＬＥＤ１ｂの検出電圧（デジタル値）が正常値範囲（Ａ）から逸脱していると判定された場合は（ステップＳ１０のＮｏ）、上述と同様に正常に動作しているＬＥＤによる故障警報表示処理（ステップＳ５）、警報音声・ブザー出力回路１６による故障警報音出力処理（ステップＳ６）および外部出力回路１７による故障警報出力処理を行う（ステップＳ７）。
【００４３】
ステップＳ１０で、ＬＥＤ１ｂの検出電圧（デジタル値）が正常値範囲（Ａ）内にあると判定された場合は（ステップＳ１０のＹｅｓ）、次に、ＣＰＵ２は、図４の時間ｔ５で故障検出用のロー（Ｌｏ）レベルの制御信号を出力ポートＰ３から出力し（出力ポートＰ３オン）（ステップＳ１１）、トランジスタ３ｃをオンにし、トランジスタ３ｃがオンになっている間に、時間ｔ６において、ＬＥＤ１ｃに流れる電流に基づく検出電圧をＣＰＵ２のＡ／Ｄ入力ポートＰ４に取り込み計測する（ステップＳ１２）。すなわち、ＬＥＤ１ｃに流れる電流に対して検出抵抗４の下端電圧を、検出出力としてＣＰＵ２のＡ／Ｄ入力ポートＰ４に取り込む。
【００４４】
次に、ＣＰＵ２は、読み込まれたＬＥＤ１ｃの検出電圧（デジタル値）を予め記憶しておいたＬＥＤ１ｃの正常値範囲（Ａ）と比較して正常値範囲（Ａ）内にあるか否かを判定する（ステップＳ１３）。ＬＥＤ１ｃの検出電圧（デジタル値）が正常値範囲（Ａ）から逸脱していると判定された場合は（ステップＳ１３のＮｏ）、上述と同様に正常に動作しているＬＥＤによる故障警報表示処理（ステップＳ５）、警報音声・ブザー出力回路１６による故障警報音出力処理（ステップＳ６）および外部出力回路１７による故障警報出力処理を行う（ステップＳ７）。
【００４５】
ステップＳ１３で、ＬＥＤ１ｃの検出電圧（デジタル値）が正常値範囲（Ｃ）内にあると判定された場合は（ステップＳ１３のＹｅｓ）、次に、ＣＰＵ２は、全てのＬＥＤ１ａ〜１ｃが正常であるため、通常動作に復帰するかまたは故障警報解除を行い（ステップＳ１４）、次いでステップＳ１に戻る。
【００４６】
（第２の実施形態）次に、本発明の第２の実施例について説明する。上述の第１の実施形態では、各ＬＥＤの故障検出タイミングを時間的に互いに重ならないようにしている。これに対して、第２の実施形態では、ＬＥＤ１ａ〜１ｃのうち１つのＬＥＤが警報動作により点灯中で他のＬＥＤが消灯状態にあっても、各ＬＥＤの正常状態（故障でない状態）の電流値をＣＰＵ２の内蔵メモリ（または図示しないが、ＥＥＰＲＯＭ等の外部メモリ）に予め記憶しておくことにより、警報器の動作状態がどのような場合であっても故障の判別は可能である。
【００４７】
すなわち、たとえば、メタン検出回路１１からのメタン検出信号により、図７の時間ｔ１において、出力ポートＰ１から警報用のロー（Ｌｏ）レベルの制御信号が出力され、ＬＥＤ１ａが赤色に点灯し、メタン検出を警報している間に、故障検出動作が開始された場合、時間ｔ２において検出抵抗４による検出電圧をＡ／Ｄ入力ポートＰ４から取り込む。同様に、時間ｔ３において、出力ポートＰ２から故障検出用のロー（Ｌｏ）レベルの制御信号を出力し、トランジスタ３ｂをオンにする。トランジスタ３ｂがオンになっている間に、時間ｔ４において検出抵抗４による検出電圧をＡ／Ｄ入力ポートＰ４から取り込む。同様に、時間ｔ５において、出力ポートＰ３から故障検出用のロー（Ｌｏ）レベルの制御信号を出力し、トランジスタ３ｃをオンにする。トランジスタ３ｃがオンになっている間に、時間ｔ６において検出抵抗４による検出電圧をＡ／Ｄ入力ポートＰ４から取り込む。
【００４８】
このように、ＬＥＤ１ａ〜１ｃのうち１個が警報動作で点灯中で、他のＬＥＤが消灯中であっても、各ＬＥＤの正常状態の検出電圧の範囲をＣＰＵ２の内部メモリ（またはＥＥＰＲＯＭ等の外部メモリ）に予め記憶しておくことにより、ＣＰＵ２は、検出抵抗よりの検出電圧をＡ／Ｄ入力ポートＰ４から取り込み、その検出電圧値を上述の正常値範囲と比較することによって、他のＬＥＤの故障の有無を判定することができる。
【００４９】
具体的には、点灯しているＬＥＤの組み合わせに見合った、それぞれの合計電流値に相当する検出電圧を、ＣＰＵ２の内部メモリ（または、ＥＥＰＲＯＭ等の外部メモリ）に予め記憶されたＬＥＤの組み合わせに応じた検出電圧の正常値範囲、すなわちこの第２の実施形態では、図５に示すような検出電圧のＬＥＤ２個点灯時の正常値範囲と比較し、故障判断をすることができる。
【００５０】
（第２の実施形態におけるＬＥＤ故障検出動作の詳細）次に、上述のＬＥＤの故障検出動作の詳細について、図６のフローチャートおよび図７のタイミングチャートを参照して説明する。
【００５１】
まず、所定の計測タイミングでＬＥＤ故障検出が開始される（ステップＳ２１）。次に、ＣＰＵ２は、図７の時間ｔ１においてメタン検出回路１１からのメタン検出信号により、出力ポートＰ１から警報用用のロー（Ｌｏ）レベルの制御信号が出力され（ステップＳ２２）、ＬＥＤ１ａが赤色に点灯し、メタン検出を所定期間の間警報している。その間に、図７の時間ｔ２においてＬＥＤ１ａに流れる電流に基づく検出電圧をＣＰＵ２のＡ／Ｄ入力ポートＰ４に取り込み計測する（ステップＳ２３）。すなわち、ＬＥＤ１ａに流れる電流に対して検出抵抗４の下端電圧を検出出力としてＣＰＵ２のＡ／Ｄ入力ポートＰ４に取り込む。ＣＰＵ２は、Ａ／Ｄ入力ポートＰ４から取り込んだ検出電圧値をＡ／Ｄ変換し、デジタル値として読み込む。
【００５２】
次に、ＣＰＵ２は、読み込まれたＬＥＤ１ａの検出電圧（デジタル値）を予め記憶しておいたＬＥＤ１ａの正常値範囲（Ａ）と比較して正常値範囲（Ａ）内にあるか否かを判定する（ステップＳ２４）。ＬＥＤ１ａの検出電圧（デジタル値）が正常値範囲（Ａ）から逸脱していると判定された場合は（ステップＳ２４のＮｏ）、正常に動作しているＬＥＤによる故障警報表示処理を行う（ステップＳ２５）。すなわち、ＣＰＵ２は、常時点灯している通電表示用ＬＥＤを点滅動作させるように制御することにより、ＬＥＤ１ａの故障を警報する。
【００５３】
次に、ＣＰＵは、警報音声・ブザー出力回路１６による故障警報音出力処理を行う（ステップＳ２６）。すなわち、警報音声・ブザー出力回路１６の発声または発音による警報音を発する。次に、ＣＰＵは、外部出力回路１７による故障警報出力処理を行う（ステップＳ２７）。すなわち、外部出力回路１７からの出力信号によりＬＥＤ故障の警報を発する。
【００５４】
ステップＳ２４で、ＬＥＤ１ａの検出電圧（デジタル値）が正常値範囲（Ａ）内にあると判定された場合は（ステップＳ２４のＹｅｓ）、次に、ＣＰＵ２は、図７の時間ｔ３で故障検出用のロー（Ｌｏ）レベルの制御信号を出力ポートＰ２から出力し（出力ポートＰ２オン）（ステップＳ２８）、トランジスタ３ｂをオンにする。次に、ＣＰＵ２は、ＬＥＤ１ａが点灯しかつトランジスタ３ｂがオンになっている間に、時間ｔ４において、ＬＥＤ１ａおよび１ｂに流れる電流に基づく検出電圧をＣＰＵ２のＡ／Ｄ入力ポートＰ４に取り込み計測する（ステップＳ２９）。すなわち、ＬＥＤ１ａおよび１ｂに流れる電流に対して検出抵抗４の下端電圧を、検出出力としてＣＰＵ２のＡ／Ｄ入力ポートＰ４に取り込む。
【００５５】
次に、ＣＰＵ２は、読み込まれたＬＥＤ１ａおよび１ｂに流れる電流に対する検出電圧（デジタル値）を予め記憶しておいたＬＥＤ２個点灯時の正常値範囲（Ｂ）と比較して正常値範囲（Ｂ）内にあるか否かを判定する（ステップＳ３０）。検出電圧（デジタル値）が正常値範囲（Ｂ）から逸脱していると判定された場合は（ステップＳ３０のＮｏ）、上述と同様に正常に動作しているＬＥＤによる故障警報表示処理（ステップＳ２５）、警報音声・ブザー出力回路１６による故障警報音出力処理（ステップＳ２６）および外部出力回路１７による故障警報出力処理を行う（ステップＳ２７）。
【００５６】
ステップＳ３０で、検出電圧（デジタル値）が正常値範囲（Ｂ）内にあると判定された場合は（ステップＳ３０のＹｅｓ）、次に、ＣＰＵ２は、図４の時間ｔ５で故障検出用のロー（Ｌｏ）レベルの制御信号を出力ポートＰ３から出力し（出力ポートＰ３オン）（ステップＳ３１）、トランジスタ３ｃをオンにし、トランジスタ３ｃがオンになっている間に、時間ｔ６において、ＬＥＤ１ａおよび１ｃに流れる電流に基づく検出電圧をＣＰＵ２のＡ／Ｄ入力ポートＰ４に取り込み計測する（ステップＳ３２）。すなわち、ＬＥＤ１ａおよび１ｃに流れる電流に対して検出抵抗４の下端電圧を、検出出力としてＣＰＵ２のＡ／Ｄ入力ポートＰ４に取り込む。
【００５７】
次に、ＣＰＵ２は、読み込まれた検出電圧（デジタル値）を予め記憶しておいた図５のＬＥＤ２個点灯時の正常値範囲（Ｂ）と比較して正常値範囲（Ｂ）内にあるか否かを判定する（ステップＳ３３）。検出電圧（デジタル値）が正常値範囲（Ｂ）から逸脱していると判定された場合は（ステップＳ３３のＮｏ）、上述と同様に正常に動作しているＬＥＤによる故障警報表示処理（ステップＳ２５）、警報音声・ブザー出力回路１６による故障警報音出力処理（ステップＳ２６）および外部出力回路１７による故障警報出力処理を行う（ステップＳ２７）。
【００５８】
ステップＳ３３で、検出電圧（デジタル値）が正常値範囲（Ｂ）内にあると判定された場合は（ステップＳ３３のＹｅｓ）、次に、ＣＰＵ２は、全てのＬＥＤ１ａ〜１ｃが正常であるため、通常動作に復帰するかまたは故障警報解除を行い（ステップＳ３４）、次いでステップＳ２１に戻る。
【００５９】
（第３の実施形態）次に、本発明の第３の実施例について説明する。上述の第２の実施形態では、ＬＥＤ１個および２個点灯時の正常値範囲をＣＰＵ２の内蔵メモリ（または図示しないが、ＥＥＰＲＯＭ等の外部メモリ）に予め記憶しておくことにより、故障の判別ができるように構成しているが、この第３の実施形態では、１個および２個点灯時の正常値範囲に加えて、さらに、３個点灯時の正常値範囲も予め記憶しておいて、故障検出が可能にするものである。
【００６０】
（第３の実施形態におけるＬＥＤ故障検出動作の詳細）次に、上述のＬＥＤの故障検出動作の詳細について、図８のフローチャートおよび図９のタイミングチャートを参照して説明する。
【００６１】
まず、所定の計測タイミングでＬＥＤ故障検出が開始され（ステップＳ４１）、次に、ＣＰＵ２は、図９の時間ｔ１で故障検出用のロー（Ｌｏ）レベルの制御信号を出力ポートＰ１から出力し（出力ポートＰ１オン）、トランジスタ３ａをオンにする（ステップＳ４２）。次に、ＣＰＵ２は、故障検出用のロー（Ｌｏ）レベルの制御信号を出力ポートＰ２から出力されているか（出力ポートＰ２オン）否かを判定する（ステップＳ４３）。出力ポートＰ２オンでなければ（ステップＳ４３のＮｏ）、次に、ＣＰＵ２は、トランジスタ３ａがオンになっている間に、時間ｔ２において、ＬＥＤ１ａに流れる電流に基づく検出電圧をＣＰＵ２のＡ／Ｄ入力ポートＰ４に取り込み計測する（ステップＳ４４）。すなわち、ＬＥＤ１ａに流れる電流に対して検出抵抗４の下端電圧を検出出力としてＣＰＵ２のＡ／Ｄ入力ポートＰ４に取り込む。この下端電圧は、電源Ｖｃｃから検出抵抗４に流れる電流による電圧降下分を電源電圧から引いた検出電圧値となる。ＣＰＵ２は、Ａ／Ｄ入力ポートＰ４から取り込んだ検出電圧値をＡ／Ｄ変換し、デジタル値として読み込む。
【００６２】
次に、ＣＰＵ２は、ＬＥＤ１ａの検出電圧（デジタル値）を予め記憶しておいたＬＥＤ１個点灯時の正常値範囲（Ａ）と比較して正常値範囲（Ａ）内にあるか否かを判定する（ステップＳ４５）。ＬＥＤ１ａの検出電圧（デジタル値）が正常値範囲（Ａ）から逸脱していると判定された場合は（ステップＳ４５のＮｏ）、正常に動作しているＬＥＤによる故障警報表示処理を行う（ステップＳ５１）。すなわち、ＣＰＵ２は、常時点灯している通電表示用ＬＥＤを点滅動作させるように制御することにより、ＬＥＤ１ａの故障を警報する。
【００６３】
次に、ＣＰＵ２は、警報音声・ブザー出力回路１６による故障警報音出力処理を行う（ステップＳ５２）。すなわち、警報音声・ブザー出力回路１６の発声または発音による警報音を発する。次に、ＣＰＵ２は、外部出力回路１７による故障警報出力処理を行う（ステップＳ５３）。すなわち、外部出力回路１７からの出力信号によりＬＥＤ故障の警報を発する。
【００６４】
ステップＳ４５で、ＬＥＤ１ａの検出電圧（デジタル値）が正常値範囲（Ａ）内にあると判定された場合は（ステップＳ４５のＹｅｓ）、次に、ＣＰＵ２は、ＬＥＤ１ａが正常であるため、通常動作に復帰するかまたは故障警報解除を行い（ステップＳ５４）、次いでステップＳ４１に戻る。
【００６５】
一方、出力ポートＰ２オンならば（ステップＳ４３のＹｅｓ）、次に、ＣＰＵ２は、故障検出用のロー（Ｌｏ）レベルの制御信号を出力ポートＰ３から出力されているか（出力ポートＰ３オン）否かを判定する（ステップＳ４６）。出力ポートＰ３オンでなければ（ステップＳ４６のＮｏ）、次に、ＣＰＵ２は、トランジスタ３ａおよび３ｂがオンになっている間に、時間ｔ４において、ＬＥＤ１ａおよび１ｂに流れる電流に基づく検出電圧をＣＰＵ２のＡ／Ｄ入力ポートＰ４に取り込み計測する（ステップＳ４７）。すなわち、ＬＥＤ１ａおよび１ｂに流れる電流に対して検出抵抗４の下端電圧を検出出力としてＣＰＵ２のＡ／Ｄ入力ポートＰ４に取り込む。この下端電圧は、電源Ｖｃｃから検出抵抗４に流れる電流による電圧降下分を電源電圧から引いた検出電圧値となる。ＣＰＵ２は、Ａ／Ｄ入力ポートＰ４から取り込んだ検出電圧値をＡ／Ｄ変換し、デジタル値として読み込む。
【００６６】
次に、ＣＰＵ２は、検出電圧（デジタル値）を予め記憶しておいたＬＥＤ２個点灯時の正常値範囲（Ｂ）と比較して正常値範囲（Ｂ）内にあるか否かを判定する（ステップＳ４８）。検出電圧（デジタル値）が正常値範囲（Ｂ）から逸脱していると判定された場合は（ステップＳ４８のＮｏ）、正常に動作しているＬＥＤによる故障警報表示処理を行う（ステップＳ５１）。すなわち、ＣＰＵ２は、常時点灯している通電表示用ＬＥＤを点滅動作させるように制御することにより、ＬＥＤの故障を警報する。
【００６７】
次に、ＣＰＵ２は、警報音声・ブザー出力回路１６による故障警報音出力処理を行う（ステップＳ５２）。すなわち、警報音声・ブザー出力回路１６の発声または発音による警報音を発する。次に、ＣＰＵ２は、外部出力回路１７による故障警報出力処理を行う（ステップＳ５３）。すなわち、外部出力回路１７からの出力信号によりＬＥＤ故障の警報を発する。
【００６８】
ステップＳ４８で、検出電圧（デジタル値）が正常値範囲（Ｂ）内にあると判定された場合は（ステップＳ４８のＹｅｓ）、次に、ＣＰＵ２は、ＬＥＤ１ａおよび１ｂが正常であるため、通常動作に復帰するかまたは故障警報解除を行い（ステップＳ５４）、次いでステップＳ４１に戻る。
【００６９】
一方、出力ポートＰ３オンならば（ステップＳ４６のＹｅｓ）、次に、ＣＰＵ２は、トランジスタ３ａ〜３ｃがオンになっている間に、時間ｔ６において、ＬＥＤ１ａ〜１ｃに流れる電流に基づく検出電圧をＣＰＵ２のＡ／Ｄ入力ポートＰ４に取り込み計測する（ステップＳ４９）。すなわち、ＬＥＤ１ａ〜１ｃに流れる電流に対して検出抵抗４の下端電圧を検出出力としてＣＰＵ２のＡ／Ｄ入力ポートＰ４に取り込む。この下端電圧は、電源Ｖｃｃから検出抵抗４に流れる電流による電圧降下分を電源電圧から引いた検出電圧値となる。ＣＰＵ２は、Ａ／Ｄ入力ポートＰ４から取り込んだ検出電圧値をＡ／Ｄ変換し、デジタル値として読み込む。
【００７０】
次に、ＣＰＵ２は、検出電圧（デジタル値）を予め記憶しておいたＬＥＤ３個点灯時の正常値範囲（Ｃ）と比較して正常値範囲（Ｃ）内にあるか否かを判定する（ステップＳ５０）。検出電圧（デジタル値）が正常値範囲（Ｃ）から逸脱していると判定された場合は（ステップＳ５０のＮｏ）、正常に動作しているＬＥＤによる故障警報表示処理を行う（ステップＳ５１）。すなわち、ＣＰＵ２は、常時点灯している通電表示用ＬＥＤを点滅動作させるように制御することにより、ＬＥＤの故障を警報する。
【００７１】
次に、ＣＰＵ２は、警報音声・ブザー出力回路１６による故障警報音出力処理を行う（ステップＳ５２）。すなわち、警報音声・ブザー出力回路１６の発声または発音による警報音を発する。次に、ＣＰＵ２は、外部出力回路１７による故障警報出力処理を行う（ステップＳ５３）。すなわち、外部出力回路１７からの出力信号によりＬＥＤ故障の警報を発する。
【００７２】
ステップＳ５０で、検出電圧（デジタル値）が正常値範囲（Ｃ）内にあると判定された場合は（ステップＳ５０のＹｅｓ）、次に、ＣＰＵ２は、ＬＥＤ１ａ〜１ｃが全て正常であるため、通常動作に復帰するかまたは故障警報解除を行い（ステップＳ５４）、次いでステップＳ４１に戻る。
【００７３】
このように、本発明の第１、第２および第３の実施形態によれば、故障検出用に１個の検出抵抗と１個のＡ／Ｄ入力ポートを備えるだけで複数のＬＥＤの故障を検出して警報することができ、従来に比して製造コストを低減することができる。
【００７４】
以上の通り、本発明の実施形態について説明したが、本発明はこれに限らず、種々の変形、応用が可能である。
【００７５】
たとえば、上述の実施の形態では、検出抵抗４は、電源Ｖｃｃとトランジスタ３ａ〜３ｃの間に接続されているが、これに代えて、ＬＥＤ１ａ〜１ｃと接地の間に接続し、ＬＥＤ１ａ〜１ｃと検出抵抗４の接続点をＡ／Ｄ入力ポートＰ４に接続するように構成しても良い。この場合には、ＬＥＤがショートした場合は検出電圧がほぼ５Ｖとなり、またＬＥＤがオープンした場合は検出電圧がゼロ（接地電位）となり、それぞれ正常値範囲を逸脱して故障と判定することができる。
【００７６】
また、故障の判定は、故障検出回路を使用する機器に応じて判定方法を変えることができる。たとえば、ノイズ等による誤動作を防ぐ目的で、１回の検出動作で複数回（たとえば、５〜６回）の検出電圧を計測し、平均化等の処理を行い、誤動作を低減することができる。
【００７７】
また、計測間隔をたとえば１０分に１回、または１時間に１回と定期的にすることでも、誤動作する確率を低減することができる。さらに、１０分または１時間毎の計測回数において１回で故障と判定せずに、２回、３回など連続で正常動作範囲を逸脱した場合を故障と判定しても良い。
【００７８】
また、通電表示用ＬＥＤ等の常時点灯しているＬＥＤが故障した場合は、警報音声・ブザー出力回路１６からの発声、発音または外部出力回路１７からの外部出力によりＬＥＤ故障の警報を発するようにしても良い。
【００７９】
また、警報音声・ブザー出力回路１６を有しない警報器であって、通電表示用ＬＥＤ等の常時点灯しているＬＥＤが故障した場合は、故障していないと判定された他のＬＥＤを利用して、通常の警報動作とは異なった方法（点滅周期、点灯時間等）で故障を知らせても良い。
【００８０】
また、常時点灯しているＬＥＤの有無にかかわらず、複数あるＬＥＤのうちどのＬＥＤが故障しても、警報音声・ブザー出力回路１６、外部出力回路１７等を有する場合は、それらにより故障状態を知らせても良い。
【００８１】
また、本発明のＬＥＤの故障検出回路は、複数のＬＥＤを警報表示用として用いる火災・ガス警報器に適用できることはもちろんであるが、これに限らず、ＬＥＤ等、電流を計測して故障を検出する全ての機器に適用可能である。これにより、限られたハードウェア資源を有効に活用でき、使用する部品数も少なくすることができる。また使用するＬＥＤの個数を、上述の３個に限定せず、さらに増やしても、ＣＰＵのポートおよび検出抵抗を追加することなく、ＬＥＤの故障を検出することができる。
【図面の簡単な説明】
【００８２】
【図１】本発明の第１の実施形態に係る故障検出回路を内蔵した火災・ガス警報器の構成を示すブロック図である。（第１の実施形態）
【図２】図１の火災・ガス警報器における警報表示回路兼故障検出回路の構成例を示す回路図である。（第１の実施形態）
【図３】第１の実施形態における故障検出動作を示すフローチャートである。（第１の実施形態）
【図４】第１の実施形態における故障検出動作を説明するためのタイミングチャートである。（第１の実施形態）
【図５】故障検出動作時の判定条件を示す図である。
【図６】第２の実施形態における故障検出動作を示すフローチャートである。（第２の実施形態）
【図７】第１の実施形態における故障検出動作を説明するためのタイミングチャートである。（第２の実施形態）
【図８】第３の実施形態における故障検出動作を示すフローチャートである。（第３の実施形態）
【図９】第３の実施形態における故障検出動作を説明するためのタイミングチャートである。（第３の実施形態）
【図１０】従来のＬＥＤの故障検出回路を示す回路図である。
【符号の説明】
【００８３】
１ａ〜１ｃ  ＬＥＤ
２  マイコン（ＣＰＵ）
３ａ〜３ｃ  トランジスタ（スイッチング素子）
４  検出抵抗
１０  警報器
１４  警報表示回路
１５  故障検出回路
１６  警報音声／ブザー出力回路（警報音出力手段）
【図１】
2007163338.tif 000003
【図２】
2007163338.tif 000004
【図３】
2007163338.tif 000005
【図４】
2007163338.tif 000006
【図５】
2007163338.tif 000007
【図６】
2007163338.tif 000008
【図７】
2007163338.tif 000009
【図８】
2007163338.tif 000010
【図９】
2007163338.tif 000011
【図１０】
2007163338.tif 000012